(57)【要約】【課題】利用者が番号を指定することなく、容易に他の子機と通話することが可能なコードレス電話装置およびコードレス電話装置における子機の呼び出し方法の提供。【解決手段】親機１は、記憶手段１０２に記憶された複数の子機２ａ，２ｂ，２ｃそれぞれの固有のアドレスおよび名前を子機情報通知手段１０３により子機２ａ〜２ｃへ通知し、子機２ａ〜２ｃは、親機１から通知された子機２ａ〜２ｃの固有のアドレスと名前とを関連付けて子機情報記憶手段２０５に記憶し、子機２ａは、通信する他の子機２ｂ，２ｃを名前の指定により子機指定手段２０６で受け付け、この指定された名前を用いて子機情報検索手段２０７により子機情報記憶手段２０５を検索し、対応する固有のアドレスを取得し、この取得した固有のアドレスにより他の子機２ａ，２ｂ，２ｃを特定して通信手段２０３により通信する。【選択図】図４
2005167750.tif 000002
【特許請求の範囲】
【請求項１】
親機と複数の子機とからなり、前記子機が、それぞれ自機を識別する固有のアドレスおよび名前を記憶する自機情報記憶手段と、他の子機と通信する際、前記他の子機の固有のアドレスにより前記他の子機を特定して通信する通信手段とを備え、前記親機が、前記複数の子機それぞれの固有のアドレスと名前とを関連付けて記憶する記憶手段を備えたコードレス電話装置において、
前記親機は、前記記憶手段に記憶された複数の子機それぞれの固有のアドレスおよび名前を前記複数の子機へそれぞれ通知する子機情報通知手段を備え、
前記子機は、前記親機から通知された複数の子機それぞれの固有のアドレスと名前とを関連付けて記憶する子機情報記憶手段と、通信する他の子機を名前の指定により受け付ける子機指定手段と、同子機指定手段により指定された名前を用いて前記子機情報記憶手段を検索し、対応する固有のアドレスを取得する子機情報検索手段とを備えた
ことを特徴とするコードレス電話装置。
【請求項２】
前記子機指定手段は、前記子機情報記憶手段に記憶された複数の子機の名前の一覧を表示し、この表示した一覧の中から名前を選択するものである請求項２記載のコードレス電話装置。
【請求項３】
親機と複数の子機とからなり、前記子機が、それぞれ自機を識別する固有のアドレスおよび名前を記憶する自機情報記憶手段を備え、前記親機が、前記複数の子機それぞれの固有のアドレスと名前とを関連付けて記憶する記憶手段を備えたコードレス電話装置における子機の呼び出し方法であって、
前記親機が、前記記憶手段に記憶された複数の子機それぞれの固有のアドレスおよび名前を前記複数の子機へそれぞれ通知するステップ、
前記子機が、前記親機から通知された複数の子機それぞれの固有のアドレスと名前とを関連付けて子機情報記憶手段に記憶するステップ、
前記子機が、通信する他の子機を名前の指定により受け付けるステップ、
前記子機が、この指定された名前を用いて前記子機情報記憶手段を検索し、対応する固有のアドレスを取得するステップ、
前記子機が、この取得した固有のアドレスにより他の子機を特定して通信するステップを含むコードレス電話装置における子機の呼び出し方法。
【請求項４】
親機と複数の子機とからなり、前記子機が、それぞれ自機を識別する固有のアドレスおよび名前を記憶する自機情報記憶手段と、他の子機と通信する際、前記他の子機の固有のアドレスにより前記他の子機を特定して通信する通信手段とを備え、前記親機が、前記複数の子機それぞれの固有のアドレスと名前とを関連付けて記憶する記憶手段を備えたコードレス電話装置において、
前記親機は、前記記憶手段に記憶された複数の子機それぞれの固有のアドレスおよび名前を前記複数の子機へそれぞれ通知する子機情報通知手段を備え、
前記子機は、前記親機から通知された複数の子機それぞれの固有のアドレスと名前とを関連付けて記憶する子機情報記憶手段と、通信する他の子機を名前の指定により受け付ける子機指定手段と、同子機指定手段により指定された名前を用いて前記子機情報記憶手段を検索し、対応する固有のアドレスを取得する子機情報検索手段とを備え、
ある子機にて名前変更の操作がなされると、当該子機は前記親機へ子機情報変更通知を行うとともに変更された新たな名前情報を前記親機へ送り、
前記親機はこの子機情報変更通知に基づいて前記記憶手段に記憶している当該子機の名前を送られてきた新たな名前に書き換え、
前記親機は当該子機の新たな名前を含む最新の子機登録情報を登録された各子機へ通知することを特徴とするコードレス電話装置。
【発明の詳細な説明】
【技術分野】
【０００１】
本発明は、親機と複数の子機とからなるコードレス電話装置およびコードレス電話装置における子機の呼び出し方法に関する。
【背景技術】
【０００２】
現行のコードレス電話装置においては、親機に接続した順番に子機に番号が付与される。そのため、子機間で内線通話を行う際、利用者はその通話相手となる子機に付与された番号を指定する必要がある（例えば、非特許文献１を参照。）。
【０００３】
また特許文献１には、親機と子機とからなるコードレス電子機器において、親機または子機から子機の名称を設定する設定手段と、親機にて子機の名称を管理する子機情報管理手段と、該情報を外部へ報知する報知手段を備え、親機または子機から子機の名称を設定／変更が可能な点が記載されている。
【非特許文献１】マツシタ・エレクトリック・コーポレーション・オブ・アメリカ（Matsushita Electric Corporation of America）製ツーライン・２．４ギガヘルツ・マルチトーク・エクスパンダブル・コードレスフォン・システム・ウィズ・ディジタル・アンサリング・システム（2-Line 2.4GHz MultiTalkTM Expandable Cordless Phone System with Digital Answering System）ＫＸ−ＴＧ２７４０Ｓの取扱説明書，真生印刷株式会社マレーシア出張所，（マレーシア国），２００２年３月，ｐ．６４−６６
【特許文献１】特開２０００−６９１３１号公報
【発明の開示】
【発明が解決しようとする課題】
【０００４】
しかし、上記従来のコードレス電話装置では、子機の台数が増えていくと、どの子機が何番であるか、またはどのような名称であったかを利用者が覚えておくのが困難となる。そのため、利用者が通話相手の子機の番号や名称を覚えていないと、その子機へ接続することはできなくなる。
【０００５】
そこで、本発明においては、利用者が番号を指定することなく、容易に他の子機と通話することが可能なコードレス電話装置およびコードレス電話装置における子機の呼び出し方法を提供することを目的とする。
【課題を解決するための手段】
【０００６】
上記課題を解決するため、本発明のコードレス電話装置は、子機が、それぞれ自機を識別する固有のアドレスおよび名前を記憶する自機情報記憶手段を備え、親機が、複数の子機それぞれの固有のアドレスと名前とを関連付けて記憶する記憶手段を備えたコードレス電話装置において、親機が、記憶手段に記憶された複数の子機それぞれの固有のアドレスおよび名前を複数の子機へそれぞれ通知し、子機が、親機から通知された複数の子機それぞれの固有のアドレスと名前とを関連付けて子機情報記憶手段に記憶し、子機が、通信する他の子機を名前の指定により受け付け、子機が、この指定された名前を用いて子機情報記憶手段を検索し、対応する固有のアドレスを取得し、子機が、この取得した固有のアドレスにより他の子機を特定して通信するように構成したものである。
【発明の効果】
【０００７】
本発明によれば、子機が、通信する他の子機を名前の指定により受け付けると、この指定された名前に対応する他の子機の固有のアドレスを取得し、この取得した固有のアドレ
スにより他の子機を特定して通信するため、利用者は番号を指定することなく、容易に他の子機を名前により指定して通話することが可能となる。
【０００８】
また、子機指定手段が、子機情報記憶手段に記憶された複数の子機の名前の一覧を表示し、この表示した一覧の中から名前を選択する構成としたことにより、利用者は表示された複数の子機の名前の一覧の表示の中から容易に子機を選択して通話することが可能となる。
【発明を実施するための最良の形態】
【０００９】
本願の第１の発明は、親機と複数の子機とからなり、子機が、それぞれ自機を識別する固有のアドレスおよび名前を記憶する自機情報記憶手段と、他の子機と通信する際、他の子機の固有のアドレスにより他の子機を特定して通信する通信手段とを備え、親機が、複数の子機それぞれの固有のアドレスと名前とを関連付けて記憶する記憶手段を備えたコードレス電話装置において、親機は、記憶手段に記憶された複数の子機それぞれの固有のアドレスおよび名前を複数の子機へそれぞれ通知する子機情報通知手段を備え、子機は、親機から通知された複数の子機それぞれの固有のアドレスと名前とを関連付けて記憶する子機情報記憶手段と、通信する他の子機を名前の指定により受け付ける子機指定手段と、子機指定手段により指定された名前を用いて子機情報記憶手段を検索し、対応する固有のアドレスを取得する子機情報検索手段とを備えたことを特徴とするコードレス電話装置であり、親機は、記憶手段に記憶された複数の子機それぞれの固有のアドレスおよび名前を複数の子機へそれぞれ通知し、子機は、この親機から通知された複数の子機それぞれの固有のアドレスと名前とを関連付けて記憶し、通信する他の子機を利用者による名前の指定により受け付けると、この指定された名前に対応する他の子機の固有のアドレスを取得し、この取得した固有のアドレスにより他の子機を特定して通信する。これにより、利用者は番号を指定することなく、容易に他の子機を名前により指定して通話することが可能となる。
【００１０】
本願の第２の発明は、子機指定手段は、子機情報記憶手段に記憶された複数の子機の名前の一覧を表示し、この表示した一覧の中から名前を選択するものである請求項２記載のコードレス電話装置であり、子機は、複数の子機の名前の一覧を表示し、通信する他の子機を利用者によるこの一覧の中からの名前の選択により受け付け、この指定された名前に対応する他の子機の固有のアドレスを取得し、この取得した固有のアドレスにより他の子機を特定して通信する。これにより、利用者は表示された複数の子機の名前の一覧の表示の中から容易に子機を選択して通話することが可能となる。
【００１１】
本願の第３の発明は、親機と複数の子機とからなり、子機が、それぞれ自機を識別する固有のアドレスおよび名前を記憶する自機情報記憶手段を備え、親機が、複数の子機それぞれの固有のアドレスと名前とを関連付けて記憶する記憶手段を備えたコードレス電話装置における子機の呼び出し方法であって、親機が、記憶手段に記憶された複数の子機それぞれの固有のアドレスおよび名前を複数の子機へそれぞれ通知するステップ、子機が、親機から通知された複数の子機それぞれの固有のアドレスと名前とを関連付けて子機情報記憶手段に記憶するステップ、子機が、通信する他の子機を名前の指定により受け付けるステップ、子機が、この指定された名前を用いて子機情報記憶手段を検索し、対応する固有のアドレスを取得するステップ、子機が、この取得した固有のアドレスにより他の子機を特定して通信するステップを含むコードレス電話装置における子機の呼び出し方法であり、親機は、記憶手段に記憶された複数の子機それぞれの固有のアドレスおよび名前を複数の子機へそれぞれ通知し、子機は、この親機から通知された複数の子機それぞれの固有のアドレスと名前とを関連付けて記憶し、通信する他の子機を利用者による名前の指定により受け付けると、この指定された名前に対応する他の子機の固有のアドレスを取得し、この取得した固有のアドレスにより他の子機を特定して通信する。これにより、利用者は番
号を指定することなく、容易に他の子機を名前により指定して通話することが可能となる。
【００１２】
本願の第４の発明は、子機にて名前変更の操作がなされると、子機は親機へ子機情報変更通知を行うとともに変更された新たな子機の名前情報を親機へ送り、親機はこの子機情報変更通知に基づいて記憶手段に記憶している当該子機の名前を送られてきた新たな名前に書き換え、その後親機は当該子機の新たな名前を含む最新の子機登録情報を登録された各子機へ通知する。これにより、各子機にて個別に名前変更がされた場合でも、他の子機の利用者は最新の名前の一覧の表示の中から子機を選択して通話することが可能となる。
【００１３】
以下、本発明の実施の形態について、各図に基づいて説明する。
【００１４】
図１は本発明の実施の形態におけるコードレス電話装置の概略構成図である。図１において、本発明の実施の形態におけるコードレス電話装置は、２．４ＧＨｚ帯を使用した無線通信規格であるブルートゥース（Ｂｌｕｅｔｏｏｔｈ（商標））により接続される親機１と複数の子機２ａ，２ｂ，２ｃとにより構成される。
【００１５】
親機１は、電話回線網３に直接接続されており、この電話回線網３に接続された他の電話装置（図示せず）と通話することが可能である。子機２ａ〜２ｃは、親機１を介して電話回線網３に接続し、他の電話装置と通話することが可能である。また、親機１と各子機２ａ〜２ｃ間または各子機２ａ〜２ｃ間では、内線通話することが可能である。
【００１６】
図２は親機１のハードウェア構成を示すブロック図である。図２に示すように、親機１は、各種処理を行う制御手段としての中央処理部（ＣＰＵ）１１と、ＣＰＵ１１を動作させるプログラムを格納した読み出し専用記憶部（ＲＯＭ）１２と、ＣＰＵ１１が各種処理を行う際に使用する読み出しおよび書き込み可能な記憶部（ＷｏｒｋｉｎｇＲＡＭ）１３と、各種情報を記憶する記憶手段としての読み出しおよび書き込み可能な記憶部（ＦｌａｓｈＲＡＭ）１４と、動作用の電力を供給する電源部１５と、表示部１６とを備える。また親機１は、各子機２ａ〜２ｃとの間でブルートゥースにより無線通信を行う無線通信部１７と、電話回線網３に接続するための電話回線接続部１８と、英数字や記号等を入力するための入力部１９とを備える。
【００１７】
図３は子機２ａ〜２ｃのハードウェア構成を示すブロック図である。図３に示すように、子機２ａ〜２ｃはそれぞれ、各種処理を行う制御手段としての中央処理部（ＣＰＵ）２１と、中央処理部２１を動作させるプログラムを格納した読み出し専用記憶部（ＲＯＭ）２２と、ＣＰＵ２１が各種処理を行う際に使用する読み出しおよび書き込み可能な記憶部（ＷｏｒｋｉｎｇＲＡＭ）２３と、各種情報を記憶する記憶手段としての読み出しおよび書き込み可能な記憶部（ＦｌａｓｈＲＡＭ）２４と、動作用の電力を供給する電源部２５と、表示部２６とを備える。さらに子機２ａ〜２ｃは、親機１または他の子機との間でブルートゥースにより無線通信を行う無線通信部２７と、英数字や記号等を入力するための入力部２８とを備える。
【００１８】
図４は、図１に示すコードレス電話装置の親機１と、複数の子機の中の１つである子機２ａについての機能構成を示すブロック図である。図４に示すように、親機１は、子機２ａ〜２ｃのそれぞれを登録するために認証手続きを行う認証手段１０１と、認証手段１０１によって認証済みの子機２ａ〜２ｃそれぞれの固有のアドレスとリンクキー（Link key）と名前とを関連付けて記憶する記憶手段１０２と、記憶手段１０２に記憶された子機２ａ〜２ｃそれぞれの固有のアドレス、リンクキーおよび名前を子機２ａ〜２ｃへそれぞれ通知する子機情報通知手段１０３とを有する。
【００１９】
なお、認証手段１０１および子機情報通知手段１０３は、ＣＰＵ１１によるＲＯＭ１２に格納されたプログラムの実行により実現される。記憶手段１０２は、ＦｌａｓｈＲＡＭ１４により実現される。また、記憶手段１０２には、親機１自身の固有のアドレスと名前とが記憶されている。
【００２０】
一方、子機２ａは、親機１に登録するために認証手続きを行う認証手段２０１と、自機を識別する固有のアドレスやリンクキーおよび名前を記憶する自機情報記憶手段２０２と、通信手段２０３を備えている。各子機２ａ〜２ｃは、使用者によって任意に名前が付けられた場合には、それぞれ自機情報記憶手段２０２に自機の名前情報が記憶される。通信手段２０３は、他の子機２ｂ，２ｃをその子機２ｂ，２ｃの固有のアドレスにより特定して通信する。
【００２１】
また子機２ａは、親機１に登録されている子機２ａ〜２ｃそれぞれの固有のアドレス、リンクキーおよび名前を取得する子機情報取得手段２０４と、子機情報取得手段２０４により取得した子機２ａ〜２ｃそれぞれの固有のアドレスとリンクキーと名前とを関連付けて記憶する子機情報記憶手段２０５を備えてている。
【００２２】
また子機２ａは、通信する他の子機を名前の指定による受け付ける子機指定手段２０６と、子機指定手段２０６により指定された名前を用いて子機情報記憶手段２０５を検索し、対応する固有のアドレスおよびリンクキーを取得する子機情報検索手段２０７と、自機情報記憶手段２０２に記憶する自機の名前を変更する名前変更手段２０８とを有する。
【００２３】
なお、認証手段２０１、通信手段２０３、子機情報取得手段２０４、子機指定手段２０６、子機情報検索手段２０７および名前変更手段２０８は、ＣＰＵ２１によるＲＯＭ２２に格納されたプログラムの実行により実現される。自機情報記憶手段２０２および子機情報記憶手段２０５は、ＦｌａｓｈＲＡＭ２４により実現される。子機２ｂ，２ｃは、子機２ａと同じ構成である。
【００２４】
上記構成のコードレス電話装置における処理の詳細について、以下に説明する。なお、以下の説明では子機２ｃについて説明しないが、子機２ｃについても同様である。
【００２５】
図５はブルートゥースにおける子機登録時のシーケンス図、図６は１番目の子機２ａ登録後におけるグループ情報配信のシーケンス図、図７は２番目の子機２ｂ登録後におけるグループ情報配信のシーケンス図である。なお、図５についてはブルートゥースの標準であるため、詳細な説明を省略する。
【００２６】
先ず、１番目の子機２ａが親機１に登録し、グループ情報配信が行われる場合を説明する。前述のように子機２ａの自機情報記憶手段２０２には、予め子機２ａ自身の固有のアドレスおよび名前が記憶されている。図５のシーケンスによって子機２ａが親機１に登録した時点で、子機２ａで生成された乱数２と親機１で生成された乱数３を基にリンクキーを生成し、子機２ａの自機情報記憶手段２０２にリンクキーが記憶される。なお、図５のシーケンスは、子機２ａの認証手段２０１と親機１の認証手段１０１によって実行される。
【００２７】
そして図６に示すように、子機２ａが親機１に登録したことにより親機１はグループ情報更新を行い、グループ情報として認証手段１０１によって認証した子機２ａの固有のアドレス、リンクキーおよび名前を記憶手段１０２に記憶する。
【００２８】
グループ情報更新が完了した後、子機２ａの子機情報取得手段２０４は、親機１に対してグループ情報へのアクセスのリクエストを行う。親機１は、グループ情報へのアクセス
を許可した後、子機情報通知手段１０３は記憶手段１０２からグループ情報（子機２ａの固有のアドレス、リンクキーおよび名前）を取得して子機２ａへ送信する。
【００２９】
子機２ａはこの送信されたグループ情報を子機情報取得手段２０４により取得し、子機情報記憶手段２０５へ記憶する。最後に、親機１に対してグループ情報取得確認を行い、省電力モードへ移行する。
【００３０】
続いて、２番目の子機２ｂが親機１に登録し、グループ情報配信が行われる場合を説明する。図７に示すように子機２ｂが親機１に登録を行う場合、前述の子機２ａと同様の手順により子機２ｂが親機１に登録した後、親機１はグループ情報更新を行う。親機１は、グループ情報として、子機２ｂの固有のアドレス、リンクキーおよび名前を記憶手段１０２に追加する。
【００３１】
また、子機２ｂは、前述の子機２ａと同様の手順により、親機１からグループ情報として子機２ａ，２ｂの固有のアドレス、リンクキーおよび名前を取得し、子機２ｂの子機情報記憶手段２０５へ記憶する。
【００３２】
親機１は、新たな子機が登録された時、記憶手段１０２に記憶された子機それぞれの固有のアドレスおよび名前を登録されている複数の子機へ順次通知し、各子機には登録されている全子機の情報が送られることになる。各子機は、この親機から通知された複数の子機それぞれの固有のアドレスと名前とを関連付けて記憶する。具体的には以下のように処理が行われる。
【００３３】
図７の例は、前に登録されている子機の１つである子機２ａに最新の情報を送る場合を示す。まず親機１は、子機２ｂがグループに追加されたことを子機２ａへ通知するため、子機２ａを起動する。子機２ａは、省電力モードから通常モードへ移行し、前述と同様の手順により、親機１からグループ情報として子機２ａ，２ｂの固有のアドレス、リンクキーおよび名前を取得し、子機２ａの子機情報記憶手段２０５へ記憶する。
【００３４】
ここで、ブルートゥースにおけるグループ情報送信について説明する。ブルートゥース標準では、グループ情報送信のときに以下の３つの情報を送信することが可能である。
（１）メッセージタイプ：送信データが“グループ情報”であることを示す。
（２）構成データ：グループに登録されている各子機固有のアドレスおよびリンクキー。（３）企業固有データ：標準化されていない情報を送信するのに使用できる。
【００３５】
本実施の形態においては、（３）の企業固有データとして、グループに登録されている各子機の名前を埋め込んで、親機１から子機２ａ，２ｂへ通知する。
【００３６】
なお、リンクキーはブルートゥースにおいて認証に用いられるキーであり、リンクキーが付与されているということは、過去に一度登録しているということを示している。リンクキーは、接続端末同士（親機１と子機２ａ〜２ｃ間または子機２ａ〜２ｃ間）での接続認証に用いられる。但し、端末同士で接続するためには、接続端末同士で予めリンクキーのパラメータ合意ができている必要がある。ブルートゥースではこのことをペアリング（Pairing）と呼び、初めて接続する端末同士では、まずペアリングを行って端末同士を認識し合う必要がある。
【００３７】
上記手順を踏むことにより、各子機２ａ〜２ｃは、それぞれグループ内の各子機２ａ〜２ｃの固有のアドレス、リンクキーおよび名前を子機情報記憶手段２０５に記憶していることになる。
【００３８】
また、各子機２ａ〜２ｃは、それぞれ自機情報記憶手段２０２に記憶する自機の名前をいつでも変更することが可能である。自機の名前の変更は、各子機２ａ〜２ｃの名前変更手段２０８により行う。名前変更手段２０８は、入力部２８からの入力によって名前変更手続きが指示されると、表示部２６に名前変更画面を表示し、入力部２８から入力された内容に基づいて自機情報記憶手段２０２に記憶する自機の名前を変更する。
【００３９】
なお、各子機２ａ〜２ｃの名前が変更された際には、各子機２ａ〜２ｃは親機１に登録されている各子機２ａ〜２ｃの情報を更新するように親機１へ要求し、それに従って親機１はグループ情報の更新を行う。図８は、子機２ｂが名前変更した際の処理手順を示している。図８に示すように、子機２ｂは親機１に対して自機の名前が変更されたことを示す子機情報変更通知を行うとともに、変更された新たな子機２ｂの名前情報を親機１へ送る。親機１はこの子機情報変更通知に基づいて、グループ情報として記憶手段１０２に記憶している子機２ｂの固有のアドレス、リンクキーおよび名前を更新する。この場合は子機２ｂの名前が変更されているので、記憶手段１０２に記憶している子機２ｂの名前を送られてきた新たな名前に書き換える。
【００４０】
その後、親機１は子機２ｂの名前が変更されたことを登録された各子機（子機２ａ他）へ通知する。図８の例では、他の子機の１つである子機２ａを起動し、前述と同様の手順により、親機１からグループ情報として各子機の最新の固有のアドレス、リンクキーおよび名前を子機２ａへ送る。またその他の子機に対しても、同様の手順により親機１から最新の固有のアドレス、リンクキーおよび名前が送られる。これにより、各子機にて個別に名前変更がされた場合でも、他の子機の利用者は最新の名前の一覧の表示の中から子機を選択して通話することが可能となる。
【００４１】
図９は各子機２ａ〜２ｃから他の子機２ａ〜２ｃを呼び出して通話する際に表示部２６に表示される子機選択画面の例を示している。以下、子機２ａから子機２ｂを呼び出して通話する場合について説明する。
【００４２】
子機２ａは、子機指定手段２０６により、子機情報記憶手段２０５に記憶された子機２ａ〜２ｃの名前の一覧を図９に示すように表示部２６に表示する。図９において名前３１は子機２ａの名前、名前３２は子機２ｂの名前、名前３３は子機２ｃの名前である。
【００４３】
なお、名前３４は親機１の名前である。この親機１の名前および親機１の固有のアドレスも、記憶手段１０２に記憶するグループ情報に含まれており、親機１から子機情報通知手段１０３によって各子機２ａ〜２ｃに通知される。親機１の名前についても、子機２ａ〜２ｃと同様に親機１の入力部１９からの指示により変更可能である。
【００４４】
子機２ａの利用者は、この一覧の中から通信する他の子機２ｂを名前３２により選択し、指定する。子機２ａは、子機指定手段２０６によりこの指定を受け付け、子機情報検索手段２０７により子機情報記憶手段２０５を検索して、この指定された名前３２に対応する他の子機２ｂの固有のアドレスを取得する。そして、子機２ａは、この取得した固有のアドレスにより他の子機２ｂを特定して通信する。
【００４５】
以上のように、子機２ａの利用者は、番号を指定することなく、容易に他の子機２ｂを名前により指定して通話することが可能である。このとき、利用者は、子機２ａの表示部２６に子機２ａ〜２ｃの名前３１〜３３の一覧が表示されているため、この表示された一覧の中から容易に子機２ｂを選択して通話することが可能である。
【産業上の利用可能性】
【００４６】
本発明のコードレス電話装置は、親機と複数の子機とからなるコードレス電話装置とし
て有用であり、特にブルートゥースにより無線通信を行うコードレス電話装置として好適である。
【図面の簡単な説明】
【００４７】
【図１】本発明の実施の形態におけるコードレス電話装置の概略構成図
【図２】親機のハードウェア構成を示すブロック図
【図３】子機のハードウェア構成を示すブロック図
【図４】図１に示すコードレス電話装置の機能構成を示すブロック図
【図５】ブルートゥースにおける子機登録時のシーケンス図
【図６】１番目の子機登録後におけるグループ情報配信のシーケンス図
【図７】２番目の子機登録後におけるグループ情報配信のシーケンス図
【図８】子機の名前変更時のシーケンス図
【図９】子機選択画面の例を示す図
【符号の説明】
【００４８】
１    親機
２ａ，２ｂ，２ｃ    子機
３    電話回線網
１１，２１    ＣＰＵ
１２，２２    ＲＯＭ
１３，２３    ＷｏｒｋｉｎｇＲＡＭ
１４，２４    ＦｌａｓｈＲＡＭ
１５，２５    電源部
１６，２６    表示部
１７，２７    無線通信部
１８    電話回線接続部
１９，２８    入力部
１０１    認証手段
１０２    記憶手段
１０３    子機情報通知手段
２０１    認証手段
２０２    自機情報記憶手段
２０３    通信手段
２０４    子機情報取得手段
２０５    子機情報記憶手段
２０６    子機指定手段
２０７    子機情報検索手段
２０８    名前変更手段
【図１】
2005167750.tif 000003
【図２】
2005167750.tif 000004
【図３】
2005167750.tif 000005
【図４】
2005167750.tif 000006
【図５】
2005167750.tif 000007
【図６】
2005167750.tif 000008
【図７】
2005167750.tif 000009
【図８】
2005167750.tif 000010
【図９】
2005167750.tif 000011